(57)【特許請求の範囲】
【請求項１】
上端が開口する所要深さの頭保持体収容穴を備え、適度の剛直性を有する胴芯本体と、適度の弾性復元性を有する頭保持体と、前記胴芯本体に基端が嵌入固定される腕芯体とからなる人形の胴芯において、前記胴芯本体を桐の板状体と樟木の板状体とを接着により重ね合わせたものとすることを特徴とする人形の胴芯。
【発明の詳細な説明】
【０００１】
【発明の属する技術分野】
本発明は人形，例えば衣裳着雛人形の製作上、必要となる人形の胴芯に関するものである。
【０００２】
詳しくは、本発明は、頭と胴とを別個に形成し、胴に対して頭を差し込んで取付ける形式の人形における胴芯である。
【０００３】
【従来の技術】
従来，この種の胴芯として、例えば、実開昭５２−６２１９１号公報に記載された考案および実開平２−１２６６８９号公報に記載された考案が存在する。
【０００４】
そして、前者の考案は、先端が尖った棒状保持部を有する人形の頭（カシラ）と、この保持部の差し込み保持を許容する許容穴にワラ製の頭保持体を嵌装した胴芯とからなる頭差し込み式人形を示唆したものである。
【０００５】
即ち、前者の人形の胴芯は、胴芯本体が発泡スチレン，発泡ポリスチレン等の合成樹脂によって形成され、その外周に稲ワラ等の頭保持体を接着テープ等により巻き付け、頭保持体が抜け落ちないようにしてあり、さらに、胴芯本体に針金からなる腕金を差し込むようにしている。
【０００６】
従って、前者の考案では、人形の胴芯から頭保持体（稲ワラの束）が抜け落ちないようにするため、胴芯本体の外周に接着テープ等を巻き付ける必要があり、腕金は単に、胴芯本体に差し込んだだけであるから、回動するおそれが懸念され、抜け落ちたり、その姿勢を一定に保持できないという問題点があった。
【０００７】
また、後者の考案は、人形の胴芯本体を木製とし、頭保持体をイ草により構成した人形の胴芯構造を示唆している。
【０００８】
即ち、後者の胴芯構造は、イ草の束（頭保持体）が胴芯本体の収容穴から落ちないように、その収容穴開口を封止すべく和紙を貼り付けている。
【０００９】
従って、後者の考案では、イ草の束（頭保持体）の抜け落ちを防ぐために、収容穴開口に和紙を貼らなければならず、またイ草の束（頭保持体）は、前者の考案にみられる稲ワラ束などの頭保持体の場合と同様，虫に喰われやすく、耐久性や保存性に問題があり、強いては胴芯本体に着せ付けられている人形の衣裳に虫食いを生じさせ、人形の姿態，美観，体裁を損うという問題があった。
【００１０】
【課題を解消するための手段】
本発明は、上述のような実情に鑑みなされたもので、本発明は適度の剛直性を有し、上端が開口する所要深さの頭保持体収容穴を備えた胴芯本体と、適度の弾性復元性を有する頭保持体と、前記胴芯本体に基端が嵌入固定される腕芯とからなる人形の胴芯において、前記胴芯本体を桐の板状体と樟木の板状体とを接着により重ね合わせたものとすることを特徴とする。
【００１１】
【実施例】
以下、本発明の実施例を図１ないし図７に基づき説明する。
図中１は人形の胴芯を示し、該胴芯１は適度の剛直性を有する材料により形成される胴芯本体２及び適度の弾性復元性を有する頭保持体３を備え、前記胴芯本体２は、桐の板状体１４と樟木の板状体１５とを接着により重ね合わせて構成され、前記胴芯本体２に針金からなる左右の腕芯体４の基端が嵌入固定される。
【００１２】
前記胴芯本体２の上端には、前側と後側に切欠部２Ａ、２Ｂが設けられ、上面中央より若干後側寄りに上からみて円形の上端が開口する所要深さの頭保持体収容縦穴５が設けられており、さらに、該収容縦穴５の左右両側に、前記腕芯体４の径と同じか又は若干狭い幅の切溝６、６が前記収容縦穴５から外端に貫通し、かつ、収容縦穴５の中心と一致するように設けられている。
【００１３】
前記切溝６、６は、その深さが腕芯体４の径（太さ）よりも深くされ、腕芯体４と略円形の腕芯体嵌装穴７が前記収容縦穴５と略平行に所要深さに設けられている。
また、前記頭保持体３は、適度の弾性復元性を有するイ草を使用し、前記胴芯本体２の前記収容縦穴５の内面（周壁及び底面）に接着剤８を塗布した後、該収容縦穴５にイ草を束ねて挿入し、イ草の頭保持機能を阻害することなく、しかも、前記収容縦穴５にイ草が固着され、容易に抜け出さないようにしてある。
【００１４】
前記腕芯体４は、基部が直角に屈曲され、この屈曲部４Ａが胴芯本体２の嵌装穴７に嵌入され、屈曲部４Ａに続く水平部分が切溝６の両側壁に接触し、該切溝６の側壁に拘束されて前後方向及び上方向に動かないようになっている。したがって、腕芯体４は、嵌装穴７からも抜け出し難く、胴芯本体２に対する姿勢を保持する。
【００１５】
さらに、前記腕芯体４を胴芯本体２の嵌装穴７に嵌入する前に、接着剤９を嵌装穴７及び切溝６の適所に入れておくことにより、腕芯体４を胴芯本体２に強固に固着させることができ、胴芯本体２から腕芯体４が抜け出すのを完全に防止することができる。
【００１６】
人形の頭（カシラ）１２は、先端が尖った頭支持棒１３を備えており、この支持棒１３を前記胴芯本体２における頭保持体３内に対して抜き挿し自在とするものである。
【００１７】
そして、本発明の実施形態によれば、胴芯本体２の頭保持体３に対し、人形頭１２の頭支持棒１３を無理して挿入でき、かつ頭支持棒１３を適度に保持するため、これが自然に抜け落ちることがなく、しかも、該支持棒１３を抜き出して交換可能であり、又、頭支持棒１３を頭保持体３から抜き出す際に頭保持体３が頭支持棒１３と一緒に抜け出すこともなく、その保持機能を維持できる。
【００１８】
また、腕芯体４は胴芯本体２に確実強固に固着されているので、抜け落ちる恐れがなく、しかも、胴芯本体２に対する姿勢を保持することができ、したがって、人形の姿勢を製作者の意図のままに保つことができる。
さらに、胴芯本体２の上端には、前、後側に切欠部２Ａ、２Ｂを設けてあるので、胴芯本体２に着せ付けられる人形の衣裳の衿元をきれいに仕上げることができる。
【００１９】
【発明の効果】
本発明は、上述のように人形の頭と、人形の胴とを別個に形成し、人形の胴に対して人形の頭を差し込んで取付ける形式の人形における胴芯本体が桐の板状体と、樟木の板状体とを接着により重ね合わせた構造を特徴としているから、胴芯の軽量化と相俟って、胴芯本体を構成する樟木特有の殺虫効果が胴芯本体の虫喰い防止効果を促して胴芯本体の虫喰い防止を可能にするばかりでなく、胴芯に着装される人形衣装の虫喰い被害を解消すると共に、人形の姿勢，美観，体裁を安定的に維持できるという利点があり、更には、従来人形の防虫手段として提案されている防虫機能付き人形収納箱（例えば、実開平３−７３１９３号公報記載の人形収納箱）の使用や化学防虫剤入り防虫カバー（例えば、特開２０００−６３２２１号公報記載の防湿，防虫用物品）の使用等によって人形の虫喰防止するのを、本発明は人形胴芯によって有利に達成できるという合理性を併有する。
【図面の簡単な説明】
【図１】  本発明の実施形態を示す縦断面図である。
【図２】  図１の平面図である。
【図３】  図２の右側面図である。
【図４】  図１の頭保持体及びその収容縦穴の拡大断面図である。
【図５】  図１の胴芯本体の説明図である。
【図６】  図１の胴芯本体の平面図である。
【図７】  図５のＡ，−Ａ線断面図である。
【符号の説明】
１      人形の胴芯
２      胴芯本体
３      頭保持体
４      腕芯体
５      頭保持体収容縦穴
６      切溝
７      腕芯嵌装穴
８      接着剤
９      接着剤
１２    頭
１３    頭支持棒
１４    桐の板状体
１５    樟木の板状体
【図１】
0004389193.tif 000002
【図２】
0004389193.tif 000003
【図３】
0004389193.tif 000004
【図４】
0004389193.tif 000005
【図５】
0004389193.tif 000006
【図６】
0004389193.tif 000007
【図７】
0004389193.tif 000008